(57)【要約】  鏡ユニットと、色調整可能な化粧対象者照明用の面光源と、入力操作に応じて面光源の照明条件を設定する設定部と、設定部によって設定された照明条件に応じて面光源の色及び明るさを調整する調整部と、スピーカと、複数の楽曲音をデータとして備え、その複数の楽曲音のうちから照明条件及び面光源による照明時間に応じて１の楽曲音を選択的に再生してスピーカから再生音として出力させる再生部と、を備える照明付き化粧鏡セット。
2013046436.tif 000002
【特許請求の範囲】
【請求項１】
鏡ユニットを備えた照明付き化粧鏡セットであって、  色調整可能な化粧対象者照明用の面光源と、  入力操作に応じて前記面光源の照明条件を設定する設定部と、  前記設定部によって設定された前記照明条件に応じて前記面光源の色及び明るさを調整する調整部と、  スピーカと、  複数の楽曲音をデータとして備え、前記複数の楽曲音のうちから前記照明条件及び前記面光源による照明時間に応じて１の楽曲音を選択的に再生して前記スピーカから再生音として出力させる再生部と、を備えることを特徴とする照明付き化粧鏡セット。
【請求項２】
前記複数の楽曲音は前記照明条件毎に前記照明時間の長さに対応して予め分類されて保存され、  前記再生部は前記照明時間を計測し、前記複数の楽曲音のうちの前記照明条件に対応した楽曲音群から、計測した前記照明時間に対応した前記１の楽曲音を選択して再生することを特徴とする請求項１記載の照明付き化粧鏡セット。
【請求項３】
前記化粧対象者の化粧進行度を認識する認識部を備え、  前記再生部は、前記化粧進行度を前記認識部から前記照明時間に相当する情報として得て、前記複数の楽曲音のうちの前記照明条件に対応した楽曲音群から、前記認識部によって認識された前記化粧進行度に対応した前記１の楽曲音を選択して再生することを特徴とする請求項２記載の照明付き化粧鏡セット。
【請求項４】
前記設定部は予め定められた複数の照明条件のうちから前記入力操作に応じて１つの照明条件を選択して設定することを特徴とする請求項１〜３のいずれか１記載の照明付き化粧鏡セット。
【請求項５】
前記鏡ユニットの側端部に前記鏡ユニットとの角度を調整自在に連結された側板を有し、  前記面光源及び前記スピーカは前記側板に取り付けられていることを特徴とする請求項１〜４のいずれか１記載の照明付き化粧鏡セット。
【発明の詳細な説明】
【技術分野】
【０００１】  本発明は、鏡ユニットと共に照明用の光源を有する照明付き化粧鏡セットに関する。
【背景技術】
【０００２】  モデルや女優の化粧（整髪を含む）の際には化粧の具合を鏡に明確に映し出すために照明が必要とされ、そのような照明用として複数の光源を並べたハリウッドライトと称するものが知られている。また、化粧鏡の両側にハリウッドライトを備えた照明付き化粧鏡セットがメークアップケースとして商品化されている。ハリウッドライトにおいては光源としては通常、点光源の白熱電球が用いられている。【０００３】  更に、照明特性を調整可能な照明装置と化粧鏡とを備えた照明付き化粧鏡セット（特許文献１）が公知である。特許文献１の照明付き化粧鏡セットにおいては、ユーザによって選択されたシーンにおける照明光の照明特性のデータを、記憶部に予め記憶された想定シーン照明データベースから取得し、照明装置に対してその取得した照明特性で照明する制御信号を供給することより照明装置ではその制御信号に応じた照明が行われる。
【先行技術文献】
【特許文献】
【０００４】
【特許文献１】特開２００９−１２５１１４号公報
【発明の概要】
【発明が解決しようとする課題】
【０００５】  従来の照明付き化粧鏡セットにおいては、上記したように選択されたシーンに応じて最適な照明条件を設定することはできる。しかしながら、化粧鏡セットの鏡面に像として映し出される化粧対象者の気分は考慮されていなかった。そのため、化粧対象者の化粧に対する満足度が十分に得られず、場合によっては、化粧時間が大幅に長くなることが生じる。【０００６】  そこで、本発明が解決しようとする課題は、上記の欠点が一例として挙げられ、化粧対象者が化粧を気分良く受けることができる照明付き化粧鏡セットを提供することが本発明の目的である。
【課題を解決するための手段】
【０００７】  請求項１に係る発明の照明付き化粧鏡セットは、鏡ユニットを備えた照明付き化粧鏡セットであって、色調整可能な化粧対象者照明用の面光源と、入力操作に応じて前記面光源の照明条件を設定する設定部と、前記設定部によって設定された前記照明条件に応じて前記面光源の色及び明るさを調整する調整部と、スピーカと、複数の楽曲音をデータとして備え、前記複数の楽曲音のうちから前記照明条件及び前記面光源による照明時間に応じて１の楽曲音を選択的に再生して前記スピーカから再生音として出力させる再生部と、を備えることを特徴としている。
【発明を実施するための形態】
【０００８】  請求項１に係る発明の照明付き化粧鏡セットによれば、複数の楽曲音をデータとして備え、その複数の楽曲音のうちから照明条件及び面光源による照明時間に応じて１の楽曲音を選択的に再生してスピーカから再生音として出力させる再生部が備えられているので、化粧対象者が化粧を受ける際に化粧が進むに従って楽曲音によって化粧対象者の気分を高揚させたり、或いはリラックスさせたりすることができる。すなわち、化粧対象者が化粧を気分良く受けることができる。よって、化粧対象者が化粧に対する満足度をより得ることができ、それにより化粧時間の短縮を図ることができる。
【図面の簡単な説明】
【０００９】
【図１】本発明の実施例として照明付き化粧鏡セットを示す外観図である。
【図２】図１の化粧鏡セット中の蝶番機構を示す図である。
【図３】図１の化粧鏡セットの折りたたみ状態を示す外観図である。
【図４】図１の化粧鏡セット中の有機ＥＬパネルの構造を示す断面図である。
【図５】図１の化粧鏡セットの駆動装置の構成を示すブロック図である。
【図６】図１の化粧鏡セット中の操作部の各押しボタンを示す図である。
【図７】図５の駆動装置中の再生処理部の動作を示すフローチャートである。
【図８】本発明の他の実施例として照明付き化粧鏡セットの駆動装置の構成を示すブロック図である。
【図９】図８の駆動装置中のカメラを含む照明付き化粧鏡セットを示す外観図である。
【図１０】図１の化粧鏡セットにおいて角度調整可能な有機ＥＬパネルを示す外観図である。
【図１１】単一の面光源の発光面を複数の領域に分けて領域毎に個別に駆動する照明付き化粧鏡セットを示す外観図である。
【実施例】
【００１０】  以下、本発明の実施例を、図面を参照しつつ詳細に説明する。【００１１】  図１は請求項１に係る発明の実施例である照明付きの化粧鏡セットを示している。この化粧鏡セットは、鏡ユニット１１、左右の側板１２，１３、及び支持台１４を備えている。鏡ユニット１１は長方形の鏡２１とその鏡２１の裏面に張り合わされた平板２２とを有する。平板２２は樹脂、木、或いは金属からなり、鏡２１のサイズと同一サイズを有しても良いし、若干大きくても良い。左側の側板１２は鏡ユニット１１の左側端部に角度調整自在に連結され、右側の側板１３は鏡ユニット１１の右側端部に角度調整自在に連結されている。鏡ユニット１１と側板１２，１３との間には図２に示すように蝶番機構１５が形成されており、その蝶番機構１５によって上記の角度調整自在な連結が可能となっている。その角度調整範囲は鏡ユニット１１と側板１２，１３とがほぼ水平となる角度から、鏡ユニット１１に対して側板１２，１３を折りたたんだ状態における角度までを含む。【００１２】  側板１２，１３各々の垂直方向（上下方向）の長さは鏡ユニット１１の垂直方向の長さと同一であるが、水平方向（左右方向）の長さは鏡ユニット１１の水平方向の長さの１／２以下である。【００１３】  側板１２，１３各々の表面には化粧対象者照明用として４つの有機ＥＬ(Electro Luminescence)パネル（面光源）２５ａ〜２５ｄ，２６ａ〜２６ｄが垂直方向に並べて接着によって取り付けられている。有機ＥＬパネル２５ａ〜２５ｄ，２６ａ〜２６ｄは同一のものであり、例えば、１３ｃｍ×１３ｃｍの正方形状をしている。また、側板１２，１３の有機ＥＬパネル２５ｄ，２６ｄの下方には平面型のスピーカ１６，１７が各々取り付けられている。【００１４】  支持台１４は台座１４ａと支柱１４ｂとからなり、楕円平板の台座１４ａに対して垂直に支柱１４ｂは連結している。支持台１４は側板１２，１３を含む鏡ユニット１１を支持するために支柱１４ｂが鏡ユニット１１に取り外し自在に連結している。例えば、鏡ユニット１１の低部には連結孔（図示せず）が形成され、支柱１４ｂの先端部がその連結孔に差し込まれることにより支持台１４と鏡ユニット１１とが結合するようになっている。【００１５】  上記した構成を有する図１の化粧鏡セットにおいては、側板１２，１３各々を鏡ユニット１１との連結部分（上記の蝶番機構１５）を回転軸としてメークアップアーチスト等の利用者（ユーザ）が操作することにより側板１２，１３各々と鏡ユニット１１との角度を調整することができる。すなわち、鏡２１の鏡面に映し出されるモデル等の化粧対象者の像を側板１２，１３各々の有機ＥＬパネル２５ａ〜２５ｄ，２６ａ〜２６ｄによる発光によって好適に照らし出すように側板１２，１３各々と鏡ユニット１１との角度を調整することができる。【００１６】  また、側板１２，１３各々は有機ＥＬパネル２５ａ〜２５ｄ，２６ａ〜２６ｄを有する状態で図３に示すように折りたたむことができる。この折りたたんだ状態で側板１２，１３同士が接触することはなく、また、有機ＥＬパネル２５ａ〜２５ｄ，２６ａ〜２６ｄの厚みが薄いために有機ＥＬパネル２５ａ〜２５ｄ，２６ａ〜２６ｄが鏡２１に圧接することもない。���００１７】  更に、支持台１４を鏡ユニット１１から取り外して支持台１４と鏡ユニット１１及び側板１２，１３部分とを分離し、上記のように鏡ユニット１１に対して側板１２，１３を折りたたんだ状態にすることにより化粧鏡セットの搬送が容易となる。【００１８】  次に、図１の化粧鏡セットの有機ＥＬパネル２５ａ〜２５ｄ，２６ａ〜２６ｄ各々及びその駆動系について説明する。【００１９】  有機ＥＬパネル２５ａ〜２５ｄ，２６ａ〜２６ｄ各々はフルカラーの照明用発光パネルであり、図４に示すように、ガラス基板５１上に発光色がＲ（赤）Ｇ（緑）Ｂ（青）である有機ＥＬ素子５０Ｒ，５０Ｇ，５０Ｂがストライプ状に形成されている。なお、図４はストライプの直線に直交する方向の断面を示している。【００２０】  それらの有機ＥＬ素子５０Ｒ，５０Ｇ，５０Ｂ各々は陽極５２、ホール注入層５３、ホール輸送層５４、ＲＧＢ発光層５５Ｒ，５５Ｇ，５５Ｂ、電子輸送層５６、そして陰極５７の順に積層された構造を有し、有機ＥＬ素子５０Ｒ，５０Ｇ，５０Ｂ間はバンク５８で仕切られている。また、各有機ＥＬ素子５０Ｒ，５０Ｇ，５０Ｂの陽極５２上にはバスライン５９が形成されており、バスライン５９によって陽極５２への給電が行われるようになっている。陽極５２は例えば、スパッタ法により膜厚７０ｎｍのＩＴＯ膜からなる。ホール注入層５３はＣｕＰｃからなり、厚さ２０ｎｍである。ホール輸送層５４はＮＰＢからなり、厚さ２０ｎｍである。Ｒ（赤）発光層５５ＲはＣＰＢをホスト材料とし、Ｉｒ(ｐｈｑ)２ｔｐｙをドーパントとしており、Ｇ（緑）発光層５５ＧはＣＰＢをホスト材料とし、Ｉｒ(ｐｐｙ)３をドーパントとしており、Ｂ（青）５５ＢはＰＡＮＤをホスト材料とし、ＤＰＡＶＢｉをドーパントとしている。ＲＧＢ発光層５５Ｒ，５５Ｇ，５５Ｂの厚さは４０ｎｍである。電子輸送層５６はＣｓｘＭｏＯｘをドープしたＮＢｐｈｅｎからなり、厚さ３０ｎｍである。陰極５７は膜厚７０〜１００ｎｍのＡｌ膜からなる。なお、この有機ＥＬパネル２５ａ〜２５ｄ，２６ａ〜２６ｄの内部構造は一例であり、本発明はこれに限定されない。【００２１】  図１の化粧鏡セットは有機ＥＬパネル２５ａ〜２５ｄ，２６ａ〜２６ｄを駆動する駆動装置を備えている。駆動装置は図５に示すように、ＡＣ−ＤＣコンバータ６１、制御部６２、メモリ６３及び操作部６４を有している。ＡＣ−ＤＣコンバータ６１は交流電圧を直流電圧に変換して出力する。ＡＣ−ＤＣコンバータ６１の出力電圧は直流電源として有機ＥＬパネル２５ａ〜２５ｄ，２６ａ〜２６ｄ各々及び制御部６２に供給される。制御部６２は、ＡＣ−ＤＣコンバータ６１の出力電圧を電源として動作し、例えば、ＣＰＵで構成され、有機ＥＬパネル２５ａ〜２５ｄ，２６ａ〜２６ｄ各々の上記のＲＧＢの有機ＥＬ素子５０Ｒ，５０Ｇ，５０Ｂ毎の駆動電流を制御することにより有機ＥＬパネル毎に発光（発光色及び輝度）を個別に制御する。制御部６２は面光源の色及び輝度（明るさ）を調整する調整部を構成する。【００２２】  制御部６２には更に、メモリ６３、及び操作部６４が接続されている。メモリ６３には制御部６２の制御で必要なプログラムやデータが保存される。操作部６４は有線又は無線のリモコンとして備えられている。【００２３】  操作部６４には、図６に示すように、電源ボタン７０とシーンボタン７５ａ〜７５ｅとが設けられている。ユーザによる操作部６４の電源ボタン７０の操作によって電源が投入された後においては、シーンボタン７５ａ〜７５ｅのいずれか１の操作が可能となる。シーンボタン７５ａ〜７５ｅは入力操作に応じて面光源の照明条件を設定する設定部を構成する。【００２４】  メモリ６３には複数のシーン各々に対応した照明条件である色及び輝度がデータとして予め記憶されている。シーンとしては例えば、オフィス、ホテルラウンジ、ディナーパーティ、ファションショー、及びアウトドアがある。また、有機ＥＬパネル２５ａ〜２５ｄ，２６ａ〜２６ｄ各々の最適な発光色及び輝度に対応してＲＧＢ各々の駆動電流値がデータとしてメモリ６３に記憶されている。上記のシーンボタン７５ａ〜７５ｅはメモリ６３にデータとして記憶された複数のシーンの数分だけ備えられている。【００２５】  駆動装置は更に、楽曲音データ保存部６６、再生処理部６７、及びアンプ６８からなる再生部６９を備えている。楽曲音データ保存部６６は例えば、ハードディスク装置又は不揮発性の半導体メモリからなる。楽曲音データ保存部６６には複数曲分の楽曲音データ（例えば、ＭＰ３形式のデータ）が上記のシーン毎（すなわち、照明条件毎）に分類分けされた状態で保存されている。また、シーン毎に分類分けされた楽曲音データ群各々は更に、照明時間の長さによって分類分けされている。この実施例では曲調に基づいて第１照明時間楽曲群〜第３照明時間楽曲群の各楽曲群に分類分けされている。第１照明時間楽曲群はゆっくりしたテンポの楽曲からなり、第２照明時間楽曲群は普通のテンポの楽曲からなり、第３照明時間楽曲群はアップテンポの楽曲からなる。しかしながら、曲調としてヒーリングミュージック、ポップス、ロック等の曲のカテゴリ毎に楽曲音データを分類分けしても良い。【００２６】  再生処理部６７は制御部６２から楽曲再生指令に応じて後述するように楽曲音データ保存部６６から楽曲音データを選択的に読み出し、読み出した楽曲音データを復号処理して楽曲音を表すオーディオ信号を生成してそれをアンプ６８に供給する。【００２７】  アンプ６８はオーディオ信号に応じてスピーカ１６，１７を駆動してスピーカ１６，１７から楽曲音を出力させる。【００２８】  このような構成の駆動装置においては、ユーザによってシーンボタン７５ａ〜７５ｅのうちの例えば、シーンボタン７５ａが押圧操作されると、制御部６２はシーンボタン７５ａに対応したシーンのデータ（有機ＥＬパネル２５ａ〜２５ｄ，２６ａ〜２６ｄ各々のＲＧＢ各々の数値）をメモリ６３から読み出す。制御部６２は読み出したデータに応じて有機ＥＬパネル２５ａ〜２５ｄ，２６ａ〜２６ｄ各々の赤緑及び青の発光色の各有機ＥＬ素子５０Ｒ，５０Ｇ，５０Ｂの駆動電流を供給する。この結果、シーンボタン７５ａを操作すると、シーンボタン７５ａに対応したシーンに好適な照明状態を作り出すことができる。また、制御部６２はシーンボタン７５ａの操作に応じてシーンボタン７５ａに対応したシーンの情報を含む楽曲再生指令を再生処理部６７に供給する。【００２９】  再生処理部６７は楽曲再生指令を受け取ると、図７に示すように、時間カウンタ（図示せず）によって時間計測を開始する（ステップＳ１）。ステップＳ１はシーンボタン７５ａの操作によって開始された有機ＥＬパネル２５ａ〜２５ｄ，２６ａ〜２６ｄによる照明時間を計測するために行われる。ステップＳ１の実行後、制御部６２から供給された楽曲再生指令に情報として含まれたシーンに対応して楽曲音データ群のうちから第１照明時間楽曲群に属する楽曲音データを楽曲音データ保存部６６から選択的に読み出す（ステップＳ２）。そして、その読み出した選択した楽曲音データを復号処理して楽曲音を表すオーディオ信号を生成してそれをアンプ６８に供給する（ステップＳ３）。そのオーディオ信号はアンプ６８によって増幅された後、スピーカ１６，１７に供給される。スピーカ１６，１７からは読み出した選択した楽曲音データについての再生音が出力される。この再生音はシーンボタン７５ａに対応したシーンにマッチした楽曲であって更にゆっくりしたテンポの楽曲の音である。【００３０】  ステップＳ３の実行後、再生処理部６７は上記の時間カウンタによる計測時間が第１経過時間Ｔ１（例えば、１０分）に達したか否かを判別する（ステップＳ４）。計測時間が第１経過時間Ｔ１に達しないならば、ステップＳ３のオーディオ信号の生成を継続する。なお、ステップＳ３の実行によって１つの楽曲の楽曲音データについてのオーディオ信号の生成が終了したならば、ステップＳ２に戻って同一のシーンに割り当てられた楽曲音データ群のうちから第１照明時間楽曲群に属する他の楽曲音データを楽曲音データ保存部６６から選択的に読み出してその楽曲音データを復号処理してオーディオ信号を生成しても良い。【００３１】  ステップＳ４の判別の結果、計測時間が第１経過時間Ｔ１に達したならば、同一のシーンに割り当てられた楽曲音データ群のうちから第２照明時間楽曲群の楽曲音データを楽曲音データ保存部６６から選択的に読み出す（ステップＳ５）。読み出した選択した楽曲音データを復号処理して楽曲音を表すオーディオ信号を生成してそれをアンプ６８に供給する（ステップＳ６）。スピーカ１６，１７からは読み出した選択した楽曲音データについての再生音が出力される。この再生音はシーンボタン７５ａに対応したシーンにマッチした楽曲であって更に普通のテンポの楽曲の音である。【００３２】  ステップＳ６の実行後、計測時間が第２経過時間Ｔ２（Ｔ２＞Ｔ１であり、例えば、２０分）に達したか否かを判別する（ステップＳ７）。計測時間が第２経過時間Ｔ２に達しないならば、ステップＳ６のオーディオ信号の生成を継続する。計測時間が第２照明時間Ｔ２に達しない場合おいてもステップＳ６の実行によって１つの楽曲の楽曲音データについてのオーディオ信号の生成が終了したならば、ステップＳ５に戻って同一のシーンに割り当てられた楽曲音データ群のうちから第２照明時間楽曲群に属する他の楽曲音データを楽曲音データ保存部６６から選択的に読み出してその楽曲音データを復号処理してオーディオ信号を生成しても良い。【００３３】  ステップＳ７の判別の結果、計測時間が第２経過時間Ｔ２に達したならば、同一のシーンに割り当てられた楽��音データ群のうちから第３照明時間楽曲群に属する楽曲音データを楽曲音データ保存部６６から選択的に読み出す（ステップＳ８）。読み出した選択した楽曲音データを復号処理して楽曲音を表すオーディオ信号を生成してそれをアンプ６８に供給する（ステップＳ９）。スピーカ１６，１７からは読み出した選択した楽曲音データについての再生音が出力される。この再生音はシーンボタン７５ａに対応したシーンにマッチした楽曲であって更にアップテンポの楽曲の音である。【００３４】  ステップＳ９の実行によって１つの楽曲の楽曲音データについてのオーディオ信号の生成が終了したならば、ステップＳ８に戻って同一のシーンに割り当てられた楽曲音データ群のうちから第３照明時間楽曲群に属する他の楽曲音データを楽曲音データ保存部６６から選択的に読み出してその楽曲音データを復号処理してオーディオ信号を生成しても良い。【００３５】  このように、シーンボタン７５ａに対応したシーンに好適な照明状態において、化粧対象者に対して化粧が施されている間には、スピーカ１６，１７から楽曲音が出力され、更に、化粧が進行して行くに従って再生される楽曲音の例えば、テンポは速くなる。よって、化粧の進行に従って化粧対象者の気分を盛り上げることができ、これにより化粧対象者が化粧を気分良く受けることができる。【００３６】  なお、上記した実施例では、ユーザによってシーンボタン７５ａ〜７５ｅのうちのシーンボタン７５ａが押圧操作された場合の動作について説明したが、シーンボタン７５ａを除くシーンボタン７５ｂ〜７５ｅのうちのいずれかが押圧操作された場合の動作は、シーンボタン７５ａが押圧操作された場合の動作と同様である。例えば、シーンボタン７５ｃが押圧操作されたならば、シーンボタン７５ｃに対応したシーンに好適な照明状態が有機ＥＬパネル２５ａ〜２５ｄ，２６ａ〜２６ｄ各々の発光によって形成され、同時に化粧対象者に対して化粧が施されている間には、スピーカ１６，１７からはシーンボタン７５ｃに対応したシーンにマッチした楽曲音が出力され、更に、化粧が進行して行くほど再生される楽曲音の例えば、テンポが速くなる。【００３７】  図８は本発明の他の実施例として図１の化粧鏡セットの駆動装置の構成を示している。図８に示した駆動装置においては、カメラ６５が制御部６２に接続されている。その他の構成は図５に示した駆動装置と同一であり、図８においては同一符号を用いて示している。【００３８】  カメラ６５は図９に示すように鏡ユニット１１の平板２２の上部に取り付けられている。しかしながら、左右の側板１２，１３、及び上方の上板１４のいずれかに設けられても良いし、ユーザが手に持って操作しても良い。カメラ６５は本化粧鏡セットにおける化粧対象者の顔を例えば、上記の操作部６４の電源ボタン７０が押圧操作されると直後に撮影してその撮影画像の映像信号を制御部６２に供給する。【００３９】  制御部６２は映像信号が供給されると、その映像信号が示す画像から化粧対象者の顔の化粧進行度を認識する（認識部）。化粧進行度は例えば、目の輪郭の輝度とその周りの肌の輝度との差に応じて判断して得ることができる。制御部６２は認識結果の化粧進行度を情報として再生処理部��７に供給する。この実施例では化粧進行度は第１〜第３化粧進行度からなり、化粧が進行するに従って第１化粧進行度、第２化粧進行度、第３化粧進行度の順に化粧進行度が認識されるとする。【００４０】  再生処理部６７は制御部６２から情報として供給された化粧進行度を照明時間に相当する情報とし、１つのシーンに割り当てられた楽曲音データ群のうちから化粧進行度に対応した照明時間楽曲群に属する楽曲音データを楽曲音データ保存部６６から選択的に読み出してその楽曲音データを復号処理してオーディオ信号を生成する。第１化粧進行度では第１照明時間楽曲群に属する楽曲音データが選択され、第２化粧進行度では第２照明時間楽曲群に属する楽曲音データが選択され、第３化粧進行度は第３照明時間楽曲群に属する楽曲音データが選択される。【００４１】  よって、化粧対象者の化粧進行度を認識してその情報を楽曲音データの選択に利用することにより、化粧の進行に従って化粧対象者の気分を盛り上げることができ、これにより化粧対象者が化粧を気分良く受けることができる。【００４２】  上記した実施例の化粧鏡セットにおいては、図１０に示すように、有機ＥＬパネル２５ａ〜２５ｄ，２６ａ〜２６ｄが側板１２，１３に対する角度を調整可能されても良い。有機ＥＬパネル２５ａ〜２５ｄ，２６ａ〜２６ｄ各々においては、鏡ユニット１１側の辺を回転軸として有機ＥＬパネル２５ａ〜２５ｄ，２６ａ〜２６ｄの角度調整が可能である。例えば、側板１２，１３と有機ＥＬパネル２５ａ〜２５ｄ，２６ａ〜２６ｄとを蝶番機構（図示せず）を介して連結することにより有機ＥＬパネル２５ａ〜２５ｄ各々の鏡ユニット１１側の辺を回転軸とすることができる。また、図１０に示したように、側板１２，１３には有機ＥＬパネル２５ａ〜２５ｄ，２６ａ〜２６ｄと対応する位置に有機ＥＬパネル２５ａ〜２５ｄ，２６ａ〜２６ｄが入り込める大きさの開口部３１ａ〜３１ｄ，３２ａ〜３２ｄを形成しても良い。このように有機ＥＬパネル２５ａ〜２５ｄ，２６ａ〜２６ｄを側板１２，１３に対して角度調整可能にすることにより、有機ＥＬパネル毎に任意の角度に調整することができるので、より適切な照明状態を作り出すことができる。【００４３】  なお、上記した実施例においては、ユーザによる操作部６４の入力操作によって予め定められた複数の照明条件からいずれか１の照明条件を選択しているが、ユーザが操作部６４における入力操作によって有機ＥＬパネル毎のＲＧＢの数値又は発光色及び輝度を指定することにより照明条件を設定し、その設定した照明条件に従って有機ＥＬパネル２５ａ〜２５ｄ，２６ａ〜２６ｄを駆動しても良い。【００４４】  図１１は単一の面光源の発光面を複数の領域に分けて領域毎に個別に駆動する照明付き化粧鏡セットを示している。例えば、図１に示した実施例においては、側板１２，１３各々には複数の有機ＥＬパネル２５ａ〜２５ｄ，２６ａ〜２６ｄが取り付けられているが、図１１に示すように側板１２，１３に単一の長手の有機ＥＬパネル２５，２６を取り付けても良い。この図１１の照明付き化粧鏡セットにおいては、有機ＥＬパネル２５，２６各々の発光面を図１１に破線で示すように複数の領域、例えば、４つの領域２８ａ〜２���ｄ，２９ａ〜２９ｄに領域分けし、上記した実施例のパネル毎の駆動と同様に、操作部におけるユーザによる入力操作に応じて制御部が領域毎に駆動しかつ発光色及び輝度を調整することが行われる。
【符号の説明】
【００４５】１１  鏡ユニット１２，１３  側板１４  支持台１５  蝶番機構１６，１７  スピーカ２５，２６，２５ａ〜２５ｄ，２６ａ〜２６ｄ  有機ＥＬパネル５０Ｒ，５０Ｇ，５０Ｂ  有機ＥＬ素子６９  再生部
【図１】
2013046436.tif 000003
【図２】
2013046436.tif 000004
【図３】
2013046436.tif 000005
【図４】
2013046436.tif 000006
【図５】
2013046436.tif 000007
【図６】
2013046436.tif 000008
【図７】
2013046436.tif 000009
【図８】
2013046436.tif 000010
【図９】
2013046436.tif 000011
【図１０】
2013046436.tif 000012
【図１１】
2013046436.tif 000013
【手続補正書】
【提出日】平成26年3月27日(2014.3.27)
【手続補正１】
【補正対象書類名】特許請求の範囲
【補正対象項目名】全文
【補正方法】変更
【補正の内容】
【特許請求の範囲】
【請求項１】
鏡ユニットを備えた照明付き化粧鏡セットであって、
色調整可能な化粧対象者照明用の面光源と、
入力操作に応じて前記面光源の照明条件を設定する設定部と、
前記設定部によって設定された前記照明条件に応じて前記面光源の色及び明るさを調整する調整部と、
スピーカと、
複数の楽曲音をデータとして備え、前記複数の楽曲音のうちから前記照明条件及び前記面光源による照明時間に応じて１の楽曲音を選択的に再生して前記スピーカから再生音として出力させる再生部と、を備えることを特徴とする照明付き化粧鏡セット。
【請求項２】
前記複数の楽曲音は前記照明条件毎に前記照明時間の長さに対応して予め分類されて保存され、
前記再生部は前記照明時間を計測し、前記複数の楽曲音のうちの前記照明条件に対応した楽曲音群から、計測した前記照明時間に対応した前記１の楽曲音を選択して再生することを特徴とする請求項１記載の照明付き化粧鏡セット。
【請求項３】
前記化粧対象者の化粧進行度を認識する認識部を備え、
前記再生部は、前記化粧進行度を前記認識部から前記照明時間に相当する情報として得て、前記複数の楽曲音のうちの前記照明条件に対応した楽曲音群から、前記認識部によって認識された前記化粧進行度に対応した前記１の楽曲音を選択して再生することを特徴とする請求項２記載の照明付き化粧鏡セット。
【請求項４】
前記設定部は予め定められた複数の照明条件のうちから前記入力操作に応じて１つの照明条件を選択して設定することを特徴とする請求項１〜３のいずれか１記載の照明付き化粧鏡セット。
【請求項５】
前記鏡ユニットの側端部に前記鏡ユニットとの角度を調整自在に連結された側板を有し、
前記面光源及び前記スピーカは前記側板に取り付けられていることを特徴とする請求項１〜４のいずれか１記載の照明付き化粧鏡セット。
【請求項６】
鏡を備えた照明セットであって、
１つ以上の面光源と、
入力操作に応じて前記１つ以上の面光源の照明条件を設定するように構成された設定部と、
前記設定部によって設定された前記照明条件に応じて前記１つ以上の面光源を調整するように構成された調整部と、
前記１つ以上の面光源の前記照明条件に応じて複数の楽曲音から選択された１の楽曲音を選択的に再生するように構成された処理部と、
前記選択された１の楽曲音を再生音として出力するように構成された出力部と、
を有することを特徴とする照明セット。
【請求項７】
前記複数の楽曲音をデータとして保存するように構成された保存部を有し、
前記処理部は、前記保存部に保存された前記複数の楽曲音から前記１の楽曲音を選択するように構成されていることを特徴とする請求項６に記載の照明セット。
【請求項８】
前記複数の楽曲音は、前記照明条件及び照明時間の長さに対応して予め楽曲音群に分類されて保存され、
前記処理部は、前記照明時間を計測し、前記照明条件に対応した楽曲音群から前記１の楽曲音を選択し、当該選択された楽曲音を再生するように構成されていることを特徴とする請求項６又は７に記載の照明セット。
【請求項９】
前記鏡に映る対象像の化粧の進行度を認識する認識部を備え、
前記処理部は、前記進行度を前記認識部から前記照明時間に相当する情報として得て、前記照明条件に対応した楽曲音群から前記進行度に対応した前記１の楽曲音を選択し、当該選択された楽曲音を再生するように構成されていることを特徴とする請求項８に記載の照明セット。
【請求項１０】
前記設定部は、予め定められた複数の照明条件のうちから前記入力操作に応じて前記１つ以上の面光源についての１の照明条件を選択するように構成されていることを特徴とする請求項６ないし９のいずれか１に記載の照明セット。
【請求項１１】
前記鏡の１つ以上の側端部に配された１つ以上の側板を有し、
前記１つ以上の面光源の少なくとも１つは前記１つ以上の側板の少なくとも１つ上に配されていることを特徴とする請求項６に記載の照明セット。
【請求項１２】
前記１つ以上の側板の少なくとも１つ上にスピーカが配されていることを特徴とする請求項１１に記載の照明セット。
【請求項１３】
前記１つ以上の側板の少なくとも１つを前記鏡の側端部に取り付け、前記鏡と前記側板との角度調整自在にするよう構成された蝶番機構を有することを特徴とする請求項１１又は１２に記載の照明セット。
【請求項１４】
鏡を備えた照明セットであって、
１つ以上の面光源と、
入力操作に応じて前記１つ以上の面光源の照明条件を設定するように構成された設定部と、
前記設定部によって設定された前記照明条件に応じて前記１つ以上の面光源を調整するように構成された調整部と、
前記１つ以上の面光源の照明時間に応じて複数の楽曲音から選択された１の楽曲音を選択的に再生するように構成された処理部と、
前記選択された１の楽曲音を再生音として出力するように構成された出力部と、
を有することを特徴とする照明セット。
【請求項１５】
前記複数の楽曲音をデータとして保存するように構成された保存部を有し、
前記処理部は、前記保存部に保存された前記複数の楽曲音から前記１の楽曲音を選択するように構成されていることを特徴とする請求項１４に記載の照明セット。
【請求項１６】
前記鏡に映る対象像の化粧の進行度を認識する認識部を備え、
前記処理部は、前記進行度を前記認識部から前記照明時間に相当する情報として得て、前記照明時間に対応した楽曲音群から前記進行度に対応した１の楽曲音を選択し、当該選択された楽曲音を再生するように構成されていることを特徴とする請求項１４又は１５に記載の照明セット。
【請求項１７】
前記設定部は、予め定められた複数の照明条件のうちから前記入力操作に応じて前記１つ以上の面光源についての１の照明条件を選択するように構成されていることを特徴とする請求項１４ないし１６のいずれか１に記載の照明セット。
【請求項１８】
前記鏡の１つ以上の側端部に配された１つ以上の側板を有し、
前記１つ以上の面光源の少なくとも１つは前記１つ以上の側板の少なくとも１つ上に配されていることを特徴とする請求項１４ないし１７のいずれか１に記載の照明セット。
【請求項１９】
前記１つ以上の側板の少なくとも１つの上にスピーカが配されていることを特徴とする請求項１８に記載の照明セット。
【請求項２０】
前記１つ以上の側板の少なくとも１つを前記鏡の側端部に取り付け、前記鏡と前記側板との角度調整自在にするよう構成された蝶番機構を有することを特徴とする請求項１８又は１９に記載の照明セット。
【手続補正２】
【補正対象書類名】明細書
【補正対象項目名】００２０
【補正方法】変更
【補正の内容】
【００２０】
それらの有機ＥＬ素子５０Ｒ，５０Ｇ，５０Ｂ各々は陽極５２、ホール注入層５３、ホール輸送層５４、ＲＧＢ発光層５５Ｒ，５５Ｇ，５５Ｂ、電子輸送層５６、そして陰極５７の順に積層された構造を有し、有機ＥＬ素子５０Ｒ，５０Ｇ，５０Ｂ間はバンク５８で仕切られている。また、各有機ＥＬ素子５０Ｒ，５０Ｇ，５０Ｂの陽極５２上にはバスライン５９が形成されており、バスライン５９によって陽極５２への給電が行われるようになっている。陽極５２は例えば、スパッタ法により膜厚７０ｎｍのＩＴＯ膜からなる。ホール注入層５３はＣｕＰｃからなり、厚さ２０ｎｍである。ホール輸送層５４はＮＰＢからなり、厚さ２０ｎｍである。Ｒ（赤）発光層５５ＲはＣＰＢをホスト材料とし、Ｉｒ(ｐｈｑ)２ｔｐｙをドーパントとしており、Ｇ（緑）発光層５５ＧはＣＰＢをホスト材料とし、Ｉｒ(ｐｐｙ)３をドーパントとしており、Ｂ（青）発光層５５ＢはＰＡＮＤをホスト材料とし、ＤＰＡＶＢｉをドーパントとしている。ＲＧＢ発光層５５Ｒ，５５Ｇ，５５Ｂの厚さは４０ｎｍである。電子輸送層５６はＣｓｘＭｏＯｘをドープしたＮＢｐｈｅｎからなり、厚さ３０ｎｍである。陰極５７は膜厚７０〜１００ｎｍのＡｌ膜からなる。なお、この有機ＥＬパネル２５ａ〜２５ｄ，２６ａ〜２６ｄの内部構造は一例であり、本発明はこれに限定されない。
【手続補正３】
【補正対象書類名】明細書
【補正対象項目名】００３２
【補正方法】変更
【補正の内容】
【００３２】
ステップＳ６の実行後、計測時間が第２経過時間Ｔ２（Ｔ２＞Ｔ１であり、例えば、２０分）に達したか否かを判別する（ステップＳ７）。計測時間が第２経過時間Ｔ２に達しないならば、ステップＳ６のオーディオ信号の生成を継続する。計測時間が第２経過時間Ｔ２に達しない場合においてもステップＳ６の実行によって１つの楽曲の楽曲音データについてのオーディオ信号の生成が終了したならば、ステップＳ５に戻って同一のシーンに割り当てられた楽曲音データ群のうちから第２照明時間楽曲群に属する他の楽曲音データを楽曲音データ保存部６６から選択的に読み出してその楽曲音データを復号処理してオーディオ信号を生成しても良い。
【手続補正４】
【補正対象書類名】明細書
【補正対象項目名】００４２
【補正方法】変更
【補正の内容】
【００４２】
上記した実施例の化粧鏡セットにおいては、図１０に示すように、有機ＥＬパネル２５ａ〜２５ｄ，２６ａ〜２６ｄが側板１２，１３に対する角度を調整可能されても良い。有機ＥＬパネル２５ａ〜２５ｄ，２６ａ〜２６ｄ各々においては、鏡ユニット１１側の辺を回転軸として有機ＥＬパネル２５ａ〜２５ｄ，２６ａ〜２６ｄの角度調整が可能である。例えば、側板１２，１３と有機ＥＬパネル２５ａ〜２５ｄ，２６ａ〜２６ｄとを蝶番機構（図示せず）を介して連結することにより有機ＥＬパネル２５ａ〜２５ｄ，２６ａ〜２６ｄ各々の鏡ユニット１１側の辺を回転軸とすることができる。また、図１０に示したように、側板１２，１３には有機ＥＬパネル２５ａ〜２５ｄ，２６ａ〜２６ｄと対応する位置に有機ＥＬパネル２５ａ〜２５ｄ，２６ａ〜２６ｄが入り込める大きさの開口部３１ａ〜３１ｄ，３２ａ〜３２ｄを形成しても良い。このように有機ＥＬパネル２５ａ〜２５ｄ，２６ａ〜２６ｄを側板１２，１３に対して角度調整可能にすることにより、有機ＥＬパネル毎に任意の角度に調整することができるので、より適切な照明状態を作り出すことができる。
【国際調査報告】
2013046436.tif 000014
2013046436.tif 000015
2013046436.tif 000016
2013046436.tif 000017